(57)【要約】【課題】広告情報提供者が要望する特定の者や、広告伝達者が要望する広告情報を選択して、広告掲載媒体を発行することが出来るようにする。【解決手段】伝達したい広告情報と共にこの広告が掲載された広告掲載媒体６の発行を許諾する許諾情報を広告提供者端末３にて受け付け、通信可能に接続されたサーバ２へネットワーク１０を介して送信する。また、広告伝達者の個人情報と共に広告伝達者が広告提供者から入手した許諾情報を広告伝達者端末４にて受け付け、通信可能に接続されたサーバ２へネットワーク１０を介して送信する。次いで、広告伝達者端末４から受け付けた許諾情報に基づいて広告提供者の広告情報をサーバ２にて選定する。そして、選定された広告情報及び広告伝達者の個人情報が掲載された広告掲載媒体６の発行指示を、広告掲載媒体発行装置へネットワーク１０を介して行う。【選択図】  図１
2004252385.tif 000002
【特許請求の範囲】
【請求項１】
広告掲載媒体への広告の掲載依頼を行う広告提供者端末と、広告が掲載された広告掲載媒体の発行要求を行う広告伝達者端末と、これら広告提供者端末と広告伝達者端末とにネットワークを介して通信可能に接続された装置とを備えた広告掲載媒体の発行を行なうシステムであって、
上記広告提供者端末は、宣伝したい広告情報と共にこの広告が掲載された広告掲載媒体の発行を許諾する許諾情報の入力を行う入力手段と、この入力手段で入力された広告情報及び許諾情報を上記装置へ上記ネットワークを通じて送信する送信手段とを有し、
上記広告伝達者端末は、広告伝達者の個人情報と共に広告提供者から入手した許諾情報の入力を行う入力手段と、この入力手段で入力された個人情報及び許諾情報を上記装置へ上記ネットワークを通じて送信する送信手段とを有し、
上記装置は、上記広告提供者端末から送信された広告情報及び許諾情報を受け付ける第一の受付手段と、上記広告伝達者端末から送信された個人情報及び許諾情報を受け付ける第二の受付手段と、上記広告伝達者端末から受け付けた許諾情報に基づいて広告提供者の広告情報を選定する選定手段と、上記選定手段で選定された広告情報及び広告伝達者の個人情報が掲載された広告掲載媒体の発行指示を広告掲載媒体発行装置へ行う通知手段とを有していることを特徴とする広告掲載媒体発行システム。
【請求項２】
前記装置は、前記広告伝達者端末から個人情報及び許諾情報を受け付けた後、受け付けた許諾情報を提供した広告提供者のＷｅｂサイトへ接続することを特徴とする請求項１に記載の広告掲載媒体発行システム。
【請求項３】
前記広告掲載媒体は、カードであることを特徴とする請求項１または２に記載の広告掲載媒体発行システム。
【請求項４】
前記広告掲載媒体には、掲載された広告提供者のＷｅｂサイトへ接続する接続情報と共に、広告伝達者の識別情報が掲載されることを特徴とする請求項１から３の何れかに記載の広告掲載媒体発行システム。
【請求項５】
前記許諾情報は、広告提供者から広告伝達者を指定して提供されることを特徴とする請求項１から４の何れかに記載の広告掲載媒体発行システム。
【請求項６】
広告掲載媒体への広告の掲載依頼を行う広告提供者端末と広告が掲載された広告掲載媒体の発行要求を行う広告伝達者端末とに通信可能に構成された装置であって、
上記広告提供者端末から送信された広告情報及び許諾情報を受け付ける第一の手段と、
上記広告伝達者端末から送信された個人情報及び許諾情報を受け付ける第二の手段と、
上記広告伝達者端末から受け付けた許諾情報に基づいて広告提供者の広告情報を選定する第三の手段と、
選定された広告情報及び受け付けた広告伝達者の個人情報が掲載された広告掲載媒体の発行指示を広告掲載媒体発行装置へ行う第四の手段と、を有することを特徴とする装置。
【請求項７】
前記広告伝達者端末から許諾情報及び個人情報を受け付けた後、受け付けた許諾情報を提供した広告提供者のＷｅｂサイトへ接続する第五の手段を、更に有することを特徴とする請求項６に記載の装置。
【請求項８】
前記個人情報は、予め個人情報を装置へ登録することにより付与された広告伝達者ＩＤ番号であることを特徴とする請求項６または７に記載の装置。
【請求項９】
前記第二の手段は、広告掲載媒体への掲載を希望する個人情報の選択を更に受け付けることを特徴とする請求項６から８の何れかに記載の装置。
【請求項１０】
前記第二の手段は、許諾情報を２以上受け付けることが可能であり、前記第三の手段は、受け付けた許諾情報に基づいて２以上の広告提供者の広告情報を選定し、前記第四の手段は、選定された２以上の広告情報が掲載された広告掲載媒体の発行指示を広告掲載媒体発行装置へ行うことを特徴とする請求項６から９の何れかに記載の装置。
【請求項１１】
広告提供者の広告情報及び広告伝達者の個人情報が掲載された広告掲載媒体の発行を行なう方法であって、
伝達したい広告情報と共にこの広告が掲載された広告掲載媒体の発行を許諾する許諾情報を広告提供者端末にて受け付けるステップと、受け付けたこの広告情報及び許諾情報を通信可能に接続された装置へネットワークを介して送信するステップと、広告提供者から入手した許諾情報と共に広告伝達者の個人情報を広告伝達者端末にて受け付けるステップと、受け付けたこの許諾情報及び個人情報を通信可能に接続された装置へネットワークを介して送信するステップと、広告伝達者端末から受け付けた許諾情報に基づいて広告提供者の広告情報を装置にて選定するステップと、選定された広告情報及び広告伝達者の個人情報が掲載された広告掲載媒体の発行指示を広告掲載媒体発行装置へ行うステップとを有することを特徴とする広告掲載媒体発行方法。
【請求項１２】
コンピュータを、伝達したい広告情報と共にこの広告情報が掲載された広告掲載媒体の発行を許諾する許諾情報を広告提供者端末から受け付ける手段、広告提供者から入手した許諾情報と共に広告伝達者の個人情報を広告伝達者端末から受け付ける手段、広告伝達者端末から受け付けた許諾情報に基づいて広告提供者の広告情報を選定する手段、選定した広告情報及び広告伝達者の個人情報を広告掲載媒体発行装置に対して通知し、これら広告情報及び個人情報が掲載された広告掲載媒体の発行を指示する手段として機能させるためのプログラム。
【発明の詳細な説明】
【０００１】
【発明の属する技術分野】
この発明は、通信ネットワークを介して広告掲載媒体を発行するようにしたものであって、詳しくは、宣伝してもらいたい広告情報と、この広告情報を他者へ伝達することを行う者の個人情報とを同一媒体上に掲載することで、広告情報（すなわち、スポンサー名）入り個人情報掲載媒体としても用いることの出来る広告伝達者名入り広告掲載媒体を発行するようにした広告掲載媒体発行システムとその装置、方法及びプログラムに関する。
【０００２】
【従来の技術】
近年、広告掲載スペースとして、名刺の裏面の無地スペースを活用するようにした広告掲載媒体が提案されている。このような広告掲載媒体としては、例えば広告情報提供者が掲載を希望する広告情報及び広告掲載媒体となる名刺を使用（配付）する者の希望属性を予め登録しておき、広告伝達者から氏名等の属性に関する個人情報の入力（登録）があった際にそのマッチングを行う。そして、マッチングにより互いに適合する広告伝達者の個人情報と、この広告伝達者及びその所属団体とは無関係の広告情報とを共に名刺に掲載することで、広告情報提供者の負担により名刺を作成するようにしたものである。（特許文献１、２、３参照）。
【０００３】
【特許文献１】
特開２００１−１２１８５６号公報
【特許文献２】
特開２００２−１５６９３２号公報
【特許文献３】
特開２００２−３２６４７９号公報
【０００４】
【発明が解決しようとする課題】
しかしながら、上述した広告掲載媒体においては、何れも広告情報提供者が指定する属性と名刺発行希望者の属性とが一致すれば、名刺発行希望者が指定する拒否広告情報を除いて、広告情報提供者が無条件で名刺を作成するものとなっている。すなわち、広告情報提供者が指定する属性と名刺発行希望者の属性との単純なマッチングにより、広告掲載媒体に掲載する広告情報と個人情報とを選定している。
【０００５】
ところが、広告情報提供者からみれば、一定の属性条件を満たしている者に広告掲載媒体の一つである名刺を使用して広告情報を宣伝してもらいたいという要望の他に、より効果的な広告情報の宣伝を行い得るようにするため、属性条件では把握できないが広告情報の宣伝効果が高いと思われる者に広告情報の宣伝をしてもらいたいという要望がある。一方、名刺発行希望者（すなわち、名刺使用者）からみれば、特定の広告情報を拒否することは出来ても、自ら望む広告情報を選択することが出来ないため、所望の広告情報が掲載された広告掲載媒体を得たいという要望がある。
【０００６】
本発明は、上記の事情に基づきなされたもので、その目的とするところは、広告情報提供者が指定する属性と名刺発行希望者の属性とが一致した者に対して広告掲載媒体を発行することが出来ることは勿論のこと、広告情報提供者が要望する特定の者や、名刺発行希望者が要望する広告情報を選択して、広告掲載媒体を発行することが出来るようにした広告掲載媒体発行システムとその装置、方法及びプログラムを提供することにある。
【０００７】
【課題を解決するための手段】
本発明は、広告情報提供者が要望する特定の者や名刺発行希望者である広告伝達者（以下、「広告伝達者」と言う。）が要望する広告情報を選択可能とするため、広告情報提供者に対して所定の貢献をしてくれたことをその選択要件として採用し、広告掲載媒体の発行を許諾することとしたものである。この条件を満たすことで、広告情報提供者の要望を達成する、より効果的な広告情報の宣伝を行い得るようにした名刺発行希望者の選定や、または広告伝達者の要望を達成する、自ら望む広告情報を掲載し得るようにした広告情報の選択を可能とし、広告情報提供者及び名刺発行希望者の双方が満足する広告掲載媒体の発行を行うことが出来る。
【０００８】
すなわち、上述の目的を達成するため、本発明の第一の広告掲載媒体発行システムは、請求項１に記載のとおり、広告掲載媒体への広告の掲載依頼を行う広告提供者端末と、広告が掲載された広告掲載媒体の発行要求を行う広告伝達者端末と、これら広告提供者端末と広告伝達者端末とにネットワークを介して通信可能に接続された装置とを備えた広告掲載媒体の発行を行なうシステムであって、上記広告提供者端末は、宣伝したい広告情報と共にこの広告が掲載された広告掲載媒体の発行を許諾する許諾情報の入力を行う入力手段と、この入力手段で入力された広告情報及び許諾情報を上記装置へ上記ネットワークを通じて送信する送信手段を有し、上記広告伝達者端末は、広告伝達者の個人情報と共に広告提供者から入手した許諾情報の入力を行う入力手段と、この入力手段で入力された個人情報及び許諾情報を上記装置へ上記ネットワークを通じて送信する送信手段を有し、上記装置は、上記広告提供者端末から送信された広告情報及び許諾情報を受け付ける第一の受付手段と、上記広告伝達者端末から送信された個人情報及び許諾情報を受け付ける第二の受付手段と、上記広告伝達者端末から受け付けた許諾情報に基づいて広告提供者の広告情報を選定する選定手段と、上記選定手段で選定された広告情報及び広告伝達者の個人情報が掲載された広告掲載媒体の発行指示を広告掲載媒体発行装置へ行う通知手段とを有して、広告掲載媒体の発行を行うようにしたものである。
【０００９】
ここで、許諾情報とは、広告情報提供者に対して所定の貢献をしてくれたことにより提供される識別符号であって、この識別符号より広告情報提供者名や広告掲載媒体に掲載する広告情報の内容（商品別やバージョン別）が判り管理し得るようになっている。そして、この許諾情報の広告伝達者への提供方法としては、例えば広告情報提供者が提供する商品またはサービスに供する物品にシールを添付し、このシールを剥がすと確認出来るようにしたり、広告情報提供者から広告伝達者へ送る通知に掲載したりすることが出来る。したがって、この許諾情報を得た者は、広告情報提供者に対して貢献をしてくれたのだから広告情報の宣伝効果が高い者（サポータ）として扱われると共に、許諾情報を提供した広告情報提供者の広告情報の掲載を行うことが出来る権利を有する者として扱われる。なお、この許諾情報によって広告掲載媒体の発行許諾枚数の制限し得るように管理しても良い。
【００１０】
また、広告情報提供者に対して貢献をしてくれた所定のこととは、例えば広告情報提供者が提供する商品やサービスを利用してくれたことの他、アンケートに回答してくれたこと、以前に名刺を作成して広告情報を宣伝してもらったところその反応があったこと等、広告情報提供者が広告掲載媒体の発行を許諾しても良いと認定する諸行為を言う。
【００１１】
また、個人情報とは、広告掲載媒体の発行を希望する者（すなわち、情報伝達者）の住所や氏名、性別、年齢、職業、所属団体名、電話番号（携帯電話番号を含む）、ファクシミリ番号、電子メールアドレス、趣味、出身校といった広告情報提供者が望む任意の情報を言う。なお、個人情報の入力は、これら各情報をその都度入力することの他、広告掲載媒体の発行を行なうシステムの装置へ予め個人情報を登録することによって得た広告伝達者ＩＤ番号を入力することであっても良い。
【００１２】
また、広告情報を掲載するスペースは、広告掲載媒体の裏面に限らず、表面の余白スペースであっても良い。さらに、掲載する広告情報は一つに限らず複数であっても良く、同じ掲載面に複数掲載することの他、異なった掲載面に適宜分けて掲載するようにしても良い。
【００１３】
また、広告掲載媒体発行装置としては、広告掲載媒体の発行を希望する者の最寄りの印刷所に予め設置されている印刷装置を用いることの他、コンビニエンスストア等の所定店舗に専用装置を設置するようにしても良い。
【００１４】
さらに、通信ネットワークとは、インターネット接続を含む有線電話回線、無線電話回線、ＣＡＴＶ（ｃａｂｌｅ  ｔｅｌｅｖｉｓｉｏｎ）回線、その他の通信回線網をいう。
【００１５】
これにより、予め定めた一定の属性条件を満たしていなくても、許諾情報を有している者を広告情報の宣伝効果が高いと思われる者とし、この者に広告掲載媒体を発行することで、広告情報提供者が満足する、より効果的な広告情報の宣伝を行い得るようにすることが出来る。また、許諾情報を有することで、許諾情報を提供した広告情報提供者の広告情報の掲載を行うことが出来る権利を得たものとし、広告伝達者が満足する広告情報が掲載された広告掲載媒体の発行を行うことが出来る。
【００１６】
また、本発明の第二の広告掲載媒体発行システムは、請求項２に記載のとおり、上述の発明のシステムに加え、更に広告伝達者端末から許諾情報及び個人情報を受け付けた後、受け付けた許諾情報を提供した広告提供者のＷｅｂサイトへ接続するようにしたものでもある。
【００１７】
これにより、広告提供者は、広告伝達者（すなわち、名刺使用者）に対して単に広告情報を掲載した広告掲載媒体を発行し、広く配付されることを期待するだけでなく、広告伝達者に対しても更なる広告情報を提供することが出来る。
【００１８】
また、本発明の第三の広告掲載媒体発行システムは、請求項３に記載のとおり、上述の各発明のシステムに加え、更に広告掲載媒体は、カードであるとしたものでもある。
【００１９】
ここで、カードとは、名刺等の紙片の他、プリペイドカード、名刺型ＣＤ等、広告伝達者の個人情報と広告提供者の広告情報の掲載が可能なものを言う。これにより、広告掲載媒体を容易に携帯することが出来、広告伝達者の個人情報の伝達に伴って、広告提供者の広告情報が同時に伝達することが出来ることとなる。
【００２０】
また、本発明の第四の広告掲載媒体発行システムは、請求項４に記載のとおり、上述の各発明のシステムに加え、更に広告掲載媒体には、掲載された広告提供者のＷｅｂサイトへ接続する接続情報と共に、広告伝達者の識別情報が掲載されるようにしたものでもある。
【００２１】
ここで、広告伝達者の識別情報とは、誰の個人情報が掲載された広告掲載媒体であるか否か判断するための情報のことを言う。したがって、上述したように、広告掲載媒体の発行を行なうシステムの装置へ予め個人情報を登録することによって得た広告伝達者ＩＤ番号でも良いし、広告掲載媒体の発行に伴って新たに広告伝達者に対して付与されるものであっても良い。
【００２２】
これにより、広告伝達者から広告掲載媒体を受け取った者の広告提供者のＷｅｂサイトへの接続を期待することが出来るとともに、例えばこの広告掲載媒体に商品やサービスの割引機能やクーポン機能を持たせることにより、誰の紹介により商品やサービスの提供を受けに来たものか判別することが出来る。さらに、広告伝達者から広告掲載媒体を受け取った者が広告提供者のＷｅｂサイトへ接続し、この広告伝達者の識別情報をサイト上の所定箇所に入力することで、その際、広告掲載媒体を受け取った者が提供を受けようとする商品やサービスの価格を割引したり、誰の紹介により商品やサービスの提供を受けに来たものか判別したりすることも出来る。
【００２３】
また、本発明の第五の広告掲載媒体発行システムは、請求項５に記載のとおり、上述の各発明のシステムに加え、更に許諾情報は、広告提供者から広告伝達者を指定して提供されたものとしたものでもある。
【００２４】
そして、広告伝達者を指定した許諾情報の提供方法としては、例えば広告情報提供者が提供する商品やサービスを受けることで発行されるレシートに記載することの他、広告情報提供者のアンケートに回答してくれたお礼のメールに掲載する、広告情報提供者からのメールマガジンに掲載する、第三者から反応があったことで広告情報提供者が広告掲載媒体を頒布した者に対して送るメールに掲載する、こと等が考えられる。
【００２５】
これにより、会員登録等により予め個人情報を登録した素性の知られている者にだけレシートや電子メール等によって許諾情報を提供するようにすれば、この許諾情報から何処の誰に広告掲載媒体の発行を許諾したものであるか容易に判ることとなる。しかも、予め登録した個人情報を広告掲載媒体に掲載することとすれば、この許諾情報を他人に譲り渡したり、盗んだりしても、広告提供者が指定する広告伝達者の個人情報が掲載された広告掲載媒体が発行されることとなるので、広告提供者の意に適わない許諾情報の使用を防ぐことが出来る。
【００２６】
また、上述した本発明の広告掲載媒体発行システムは、例えば以下に記載の各装置を有する。すなわち、本発明の第一の装置は、請求項６に記載のとおり、広告掲載媒体への広告の掲載依頼を行う広告提供者端末と広告が掲載された広告掲載媒体の発行要求を行う広告伝達者端末とに通信可能に構成された装置であって、上記広告提供者端末から送信された広告情報及び許諾情報を受け付ける第一の手段と、上記広告伝達者端末から送信された個人情報及び許諾情報を受け付ける第二の手段と、上記広告伝達者端末から受け付けた許諾情報に基づいて広告提供者の広告情報を選定する第三の手段と、選定された広告情報及び受け付けた広告伝達者の個人情報が掲載された広告掲載媒体の発行指示を広告掲載媒体発行装置へ行う第四の手段と、を有するとしたものである。
【００２７】
これにより、第一の手段によって広告提供者の広告情報及び許諾情報を受け付け、また、第二の手段によって広告伝達者の個人情報及び許諾情報を受け付け、第三の手段によって互いの許諾情報に基づいて広告提供者の広告情報を選定し、その後、選定された広告情報及び広告伝達者の個人情報が掲載された広告掲載媒体が発行されるよう、第四の手段によってその指示が広告掲載媒体発行装置へ行われるものとなる。
【００２８】
また、本発明の第二の装置は、請求項７に記載のとおり、前述の発明の装置に加え、広告伝達者端末から許諾情報及び個人情報を受け付けた後、受け付けた許諾情報を提供した広告提供者のＷｅｂサイトへ接続する第五の手段を、更に有するとしたものでもある。
【００２９】
これにより、例えば広告掲載媒体発行の手続が完了するまで自動的に広告提供者のＷｅｂサイトへ接続して広告情報を配信することとすれば、広告提供者は、広告伝達者に対してより確実に更なる広告情報を提供することが出来る。
【００３０】
また、本発明の第三の装置は、請求項８に記載のとおり、前述の各発明の装置に加え、更に個人情報は、予め装置へ登録することにより付与された広告伝達者ＩＤ番号であるとしたものでもある。
【００３１】
これにより、広告掲載媒体の発行を依頼する都度、個人情報を入力することの煩わしさが解消され、より簡便で迅速な広告掲載媒体発行の受付作業を行うことが出来るものとなる。
【００３２】
また、本発明の第四の装置は、請求項９に記載のとおり、前述の各発明の装置に加え、更に二の手段は、広告掲載媒体への掲載を希望する個人情報の選択を更に受け付けるとしたものでもある。
【００３３】
これにより、広告伝達者端末から受け付けた個人情報の中から、氏名と携帯電話番号だけや、氏名と電子メールアドレス、氏名と住所と電話番号とファクシミリ番号と所属団体名と所属部署名と役職名と電子メールアドレスとＵＲＬ（Ｕｎｉｆｏｒｍ  Ｒｅｓｏｕｒｃｅ  Ｌｏｃａｔｏｒｓ）といった、所望の個人情報を掲載した広告掲載媒体とすることが出来る。なお、本発明における広告掲載媒体の場合、少なくとも広告伝達者の氏名を掲載することを必須とする。
【００３４】
また、本発明の第五の装置は、請求項１０に記載のとおり、前述の各発明の装置に加え、更に第二の手段は、許諾情報を２以上受け付けることが可能であり、前記第三の手段は、受け付けた許諾情報に基づいて２以上の広告提供者の広告情報を選定し、前記第四の手段は、選定された２以上の広告情報が掲載された広告掲載媒体の発行指示を広告掲載媒体発行装置へ行うとしたものでもある。
【００３５】
これにより、許諾情報を複数選択することで、自分が望む広告情報が複数組合わさって掲載された自分だけのオリジナル広告掲載媒体を発行する手続を行うことが出来る。また、許諾情報一つに付き広告掲載媒体の発行数が制限されている場合にも、同一広告提供者が提供した許諾情報を複数集め、これら許諾情報を利用することで、一つの広告情報だけを掲載した広告掲載媒体をまとめて発行する手続を行うことが出来る。
【００３６】
また、上述した各装置を用いた広告掲載媒体発行システムにより、例えば以下に記載の広告掲載媒体発行方法を達成することができる。すなわち、本発明の広告掲載媒体発行方法は、請求項１１に記載のとおり、広告提供者の広告情報及び広告伝達者の個人情報が掲載された広告掲載媒体の発行を行なう方法であって、伝達したい広告情報と共にこの広告が掲載された広告掲載媒体の発行を許諾する許諾情報を広告提供者端末にて受け付けるステップと、受け付けたこの広告情報及び許諾情報を通信可能に接続された装置へネットワークを介して送信するステップと、広告提供者から入手した許諾情報と共に広告伝達者の個人情報を広告伝達者端末にて受け付けるステップと、受け付けたこの許諾情報及び個人情報を通信可能に接続された装置へネットワークを介して送信するステップと、広告伝達者端末から受け付けた許諾情報に基づいて広告提供者の広告情報を装置にて選定するステップと、選定された広告情報及び広告伝達者の個人情報が掲載された広告掲載媒体の発行指示を広告掲載媒体発行装置へ行うステップと、を有するようにしたものである。
【００３７】
さらにまた、上述した各装置は、例えば以下に記載の広告掲載媒体発行プログラムを具備する。すなわち、本発明の広告掲載媒体発行プログラムは、請求項１２に記載のとおり、コンピュータを、伝達したい広告情報と共にこの広告が掲載された広告掲載媒体の発行を許諾（枚数制限有り）する許諾情報を広告提供者端末から受け付ける手段、広告提供者から入手した許諾情報と共に広告伝達者の個人情報を広告伝達者端末から受け付ける手段、広告伝達者端末から受け付けた許諾情報に基づいて広告提供者の広告情報を選定する手段、選定した広告情報及び広告伝達者の個人情報を広告掲載媒体発行装置に対して通知し、これら広告情報及び個人情報が掲載された広告掲載媒体の発行を指示する手段として機能させるようにしたものである。
【００３８】
【発明の実施の形態】
以下、本発明の一実施の形態として、広告掲載媒体６として「名刺」を発行する場合について図面に基づき説明する。図１は、本発明の実施の形態に係る広告掲載媒体発行方法を実施するためのシステムを概略的に示す構成図であり、図２は、その構成を簡略的に示すブロック図である。図１及び図２に示すように、本実施の形態で用いる広告掲載媒体発行システム１は、広告掲載媒体である名刺６への広告の掲載依頼を行う広告提供者端末３と、広告が掲載された名刺６の発行要求を行う広告伝達者端末４、この広告提供者端末３と広告伝達者端末４とに通信ネットワークとしてインターネット１０を介して接続された装置としてのサーバ２と、このサーバ２からの指示により名刺６の発行を行う広告掲載媒体発行装置５とから構成されている。
【００３９】
広告提供者端末３には、図示しないが、宣伝したい広告情報の登録を行う広告情報登録手段と、この広告が掲載された広告掲載媒体の発行を許諾する許諾情報の入力を行う許諾情報入力手段と、この入力手段で入力された広告情報及び許諾情報を上記装置へ上記ネットワークを通じて送信する送信手段とが具備されている。
【００４０】
また、広告伝達者端末４にも、同じく図示しないが、広告が掲載された名刺の発行を希望する広告伝達者の個人情報の入力を行う個人情報入力手段と、広告提供者から入手した許諾情報の入力を行う許諾情報入力手段と、この入力手段で入力された個人情報及び許諾情報を上記装置へ上記ネットワークを通じて送信する送信手段とが具備されている。
【００４１】
したがって、これら広告提供者端末３及び広告伝達者端末４は、インターネット接続可能なコンピュータシステムで良い。なお、広告提供者端末３及び広告伝達者端末４は所定のブラウザなどにより、インターネットに接続可能となっており、これによりインターネットを介して送信された情報、例えば、名刺に掲載する広告情報や、この広告情報が掲載された広告掲載媒体の発行を許諾する許諾情報の送受信ができるように構成されている。
【００４２】
本実施形態の広告掲載媒体発行システム１では、サーバ２上に特定のＷｅｂページを設けて、広告情報提供者が指定する属性と広告伝達者の属性とが一致した者に対して広告掲載媒体を発行することが出来ることは勿論のこと、広告情報提供者が要望する特定の者（広告伝達者）や、広告伝達者が要望する広告情報の選択を行うことが出来る。なお、このＷｅｂページへは、上述したように広告提供者端末３または広告伝達者端末４からそれぞれインターネット１０を介してアクセスすることができる。
【００４３】
また、サーバ２は、図２に示すように、Ｗｅｂサーバとしての情報管理装置７と、データベース（ＤＢ）サーバとしてのデータ管理装置８、及びアプリケーション（ＡＰ）サーバとしての情報選定装置９とを有するシステム化されたものである。
【００４４】
情報管理装置（Ｗｅｂサーバ）７は、広告提供者端末３からの広告掲載依頼情報を受け付ける広告掲載依頼受付部１１と、広告伝達者端末４からの名刺発行依頼情報を受け付ける名刺発行依頼受付部１３とを有し、受け付けたこれら情報を登録し管理する。この広告掲載依頼情報は、名刺６への掲載を依頼する広告情報及びこの広告が掲載された広告掲載媒体の発行を許諾する許諾情報からなり、名刺発行依頼情報は、広告情報が掲載された名刺６の発行を要求する広告伝達者の個人情報及び広告提供者から入手した許諾情報からなる。また、情報管理装置７は、広告情報が掲載された名刺６の発行を要求する広告伝達者の個人情報を受け付ける個人情報登録受付部１２を有し、発行する名刺に掲載する情報を、広告伝達者の属性情報の登録を兼ねて受け付けることが出来る。
【００４５】
なお、情報管理装置７には、インターネットに接続するための所定のコンピュータプログラムや、ネットワークを介して接続された広告提供者端末３または広告伝達者端末から情報を受け取り、登録し管理するアプリケーションプログラムが組み込まれている。
【００４６】
データ管理装置（ＤＢサーバ）８は、情報管理装置７に登録された情報をテーブル形式のデータとして管理を行なう。すなわち、データ管理装置８は、情報管理装置７にて受け付けられ登録された、名刺６へ掲載されることとなる広告情報や、広告情報が掲載された名刺６の発行を要求する広告伝達者の個人情報をコピーして、読み出し易く管理するテーブル形式の広告情報（広告提供者）データ１６や広告伝達者データ１７、及びこれらテーブルを検索可能とするための検索エンジン１８を有する。
【００４７】
また、情報選定装置（ＡＰサーバ）９は、情報管理装置７で受け付けた広告掲載依頼情報の許諾情報と名刺発行依頼情報の許諾情報とに基づいて、名刺に掲載する広告情報の選定を行う広告情報選定部１４と、選定された広告情報が掲載された名刺の発行指示を名刺発行装置５へ通知する名刺発行指示通知部１５とを有する。さらに、情報選定装置９は、広告伝達者端末４から許諾情報及び個人情報を受け付けた後、受け付けた許諾情報を提供した広告提供者のＷｅｂサイトへ接続する接続通信部１９を有している。
【００４８】
そして、図２に示す本実施の形態においては、情報管理装置（Ｗｅｂサーバ）７とデータ管理装置（ＤＢサーバ）８と情報選定装置（ＡＰサーバ）９を総称して、サーバ２として示されている。また、本発明においては、情報管理装置７と情報選定装置９の機能を１台のコンピュータにまとめて構成しても良い。
【００４９】
なお、本実施の形態を示す図２においては、サーバ２を構成する各装置が同一のサーバ内に設置される一例を示したが、仮に、情報選定装置（ＡＰサーバ）９が別個の場所に存在し、あるいはデータ管理装置（ＤＢサーバ）８が別個の場所に存在していたとしても、互いにネットワークを介して協働できるようにすることで、本発明のシステムは実現可能である。さらに、上述した各装置においては、図示しないが、動作を制御するためのＣＰＵ（中央演算装置）と、制御プログラムや所定のデータを記憶することができるＲＯＭ（リードオンリーメモリ）、ＲＡＭ（ランダムアクセスメモリ）などの内部メモリ及びハードディスクドライブなどの外部記憶装置を有している。
【００５０】
また、名刺発行装置５は、図示しないが、サーバ２から送られた名刺発行の指示を、選定された広告情報及び個人情報と共に受け取る印刷情報受付部と、これら情報が掲載された名刺を発行する印刷部とを有している。そして、この名刺発行装置５は、例えば最寄りの印刷所に予め設置されている印刷装置を用いることの他、コンビニエンスストア等の所定店舗に専用装置を設置して利用することが出来る。
【００５１】
次に、本発明の広告掲載媒体発行システム１を利用した、広告掲載媒体発行方法の一実施形態について、広告情報が掲載された名刺６を作成することを例に説明する。
なお、本実施形態においては、名刺への掲載を依頼する広告情報が既にサーバ２へ登録されているものとする。
まず、広告伝達者は、予め自分の個人情報をサーバ２へ登録しておき、広告伝達者用のＩＤ番号の付与を受けておくと共に、名刺作成を許諾する識別符号を広告情報提供者から入手しておく。なお、このＩＤ番号は、名刺作成を依頼する時に自らの個人情報をサーバ２へ登録すればすぐに付与される。したがって、前もって請求しておかなくても特に問題は無いが、名刺作成依頼手続を簡潔にスムーズに行うために、前もって付与を受けておくと良い。
【００５２】
初めに、広告伝達者ＩＤ番号の付与を請求する個人情報の登録を行う、具体的な個人情報登録方法について説明する。広告伝達者は、広告伝達者端末４よりネットワーク１０を介してサーバ２へ接続し、このサーバ２上に設けられた個人情報の登録サイトを選択する。そうすると、図３に示すような個人情報登録画面２０が広告伝達者端末４に表示される。この個人情報登録画面２０では、名刺６へ掲載されることとなる情報内容や、広告の選択が無い属性による広告選定の場合を想定して、広告伝達者の住所や郵便番号、氏名、性別、年齢、職業、所属団体名、所属部署、役職名、電話番号、ファクシミリ番号、携帯電話番号、Ｅ−ｍａｉｌアドレスといった個人情報の登録が求められる。なお、これらの個人情報の他に、配偶者や子供有無といった家族構成、勤務地、趣味、出身校といった広告情報提供者が望む任意の情報を含めるようにしても良い。
【００５３】
ここでは住所入力ボックス２１に東京都渋谷区○○−○○と入力され、郵便番号入力ボックス２２に１２３−３４５６と入力され、氏名入力ボックス２３に○○○○美と入力されている。また、女性という性別が性別選択ボックス２４に設けられたプルダウンメニューより選択され、２０〜３０（歳）という年齢が年齢選択ボックス２５に設けられたプルダウンメニューより選択され、会社員という職業が職業選択ボックス２６に設けられたプルダウンメニューより選択されている。また、所属団体名入力ボックス２７にはＡ＆Ａ△△△の会と入力され、役職名入力ボックス２９にはサークル代表と入力されている。なお、所属部署入力ボックス２８は（所属部署が無い場合）空欄となっている。さらに、電話番号入力ボックス３０には０３−ｘｘｘｘ−ｘｘｘｘと入力され、ファクシミリ番号入力ボックス３１には０３−ａａａａ−ａａａａと入力され、携帯電話番号入力ボックス３２には０９０−ａｂｃｄ−ａｂｃｄと入力され、Ｅ−ｍａｉｌアドレス入力ボックス３３には○○＿ｍｉ＠△△△．ｇｒ．ｊｐと入力されている。
【００５４】
また、上記個人情報の内、名刺６へ掲載されることとなる情報内容と想定される、住所、郵便番号、氏名、所属団体名、所属部署、役職名、電話番号、ファクシミリ番号、携帯電話番号、Ｅ−ｍａｉｌアドレスといった各情報ボックス欄の先頭には、チェックボックス（２１ａ，２２ａ，２３ａ，２７ａ，２８ａ，２９ａ，３０ａ，３１ａ，３２ａ，３３ａ）がそれぞれ設けられている。そして、広告伝達者は、名刺６へ掲載して欲しい情報をここで選択し、所望の情報ボックス欄の先頭にあるチェックボックスにレ印のチェックを行う。ここでは住所、郵便番号、氏名、所属団体名、役職名、電話番号、ファクシミリ番号、Ｅ−ｍａｉｌアドレスの各チェックボックス（２１ａ，２２ａ，２３ａ，２７ａ，２９ａ，３０ａ，３１ａ，３３ａ）にレ印のチェックがされ、名刺６へ掲載されることが選択されている。
【００５５】
以上のように、各情報ボックス欄への入力、及び各チェックボックスへのチェックが完了した後、ＯＫボタン３４を選択することにより、個人情報の登録と名刺６掲載情報の選択手続を終了する。
【００５６】
次いで、名刺作成を許諾する許諾情報の入手は、次のような広告情報提供者に対して貢献を為す所定のことにより行う。この所定のこととは、例えば広告情報提供者が提供する商品やサービスを利用すること、広告情報提供者のアンケートに回答すること、以前に名刺６を作成して広告情報を宣伝し、名刺６を配った相手に広告情報提供者が提供する商品やサービスを利用してもらったり、もしくはＷｅｂサイトにアクセスしてもらったりすること、等の諸行為を言う。したがって、広告伝達者は、上述した何れかの手段により許諾情報を入手してから、サーバ２に対して名刺６の作成を依頼する。
【００５７】
そして、サーバ２に対する名刺６の名刺作成依頼は、広告伝達者端末４よりネットワーク１０を介してサーバ２へ接続し、このサーバ２上に設けられた名刺の作成依頼サイトを選択する。そうすると、図４に示すような名刺作成依頼画面４０が広告伝達者端末４に表示される。この名刺作成依頼画面４０では、名刺６の作成を要求する広告伝達者のＩＤ番号、及び名刺作成を許諾する許諾情報の入力が求められる。
【００５８】
ここでは、広告伝達者はＳＢ０１−２３４−５６７８９というＩＤ番号を有し、このＩＤ番号が、ＩＤ番号入力ボックス４１に入力されている。また、名刺６に掲載する広告情報は一つに限らず複数であっても良い。したがって、図４に示す名刺作成依頼画面４０には、１０個の許諾情報入力ボックス４２−１，４２−２，４２−３・・・が設けられ、ここでは、ＣＪ８８８−１２３４５−０１、ＣＺ１２３−１０１０１−０１、及びＢＡ２３５−６１２２２−０２といった三つの許諾情報が、各許諾情報入力ボックス４２−１，４２−２，４２−３に入力されている。
【００５９】
また、本実施の形態では、許諾情報一つに付き名刺６が１０枚発行されるという制限が設けられている。したがって、上述したＩＤ番号及び許諾情報の入力条件は、ＳＢ０１−２３４−５６７８９というＩＤ番号に相当する広告伝達者の個人情報が掲載されると共に、ＣＪ８８８−１２３４５−０１に相当する広告情報が掲載された名刺が１０枚、ＣＺ１２３−１０１０１−０１に相当する広告情報が掲載された名刺が１０枚、及びＢＡ２３５−６１２２２−０２に相当する広告情報が掲載された名刺が１０枚、それぞれ発行されることを要求する依頼となっている。なお、許諾情報の入力がなされずにＯＫボタン４３が選択された場合は、登録した個人情報の属性に基づき、自動的に名刺６に掲載する広告情報の選択が行われる。
【００６０】
以上のように、ＩＤ番号及び許諾情報の入力が完了した後、ＯＫボタン４３を選択することにより、名刺作成依頼の手続を終了する。なお、先述したように、前もって予めＩＤ番号の付与請求を行っていなかった広告伝達者は、ここで登録ボタン４４を選択することにより、先に説明したとおりの個人情報登録画面２０から個人情報の登録を行いＩＤ番号の付与を受けておく。
【００６１】
そして、個人情報の登録、ＩＤ番号及び許諾情報の入力が完了すると、次に、名刺６に掲載する広告が複数ある場合、図５に示すような広告情報のレイアウトを選択する広告掲載レイアウト画面５０が広告伝達者端末４に表示される。すなわち、広告情報を掲載するスペースは、広告掲載媒体の裏面に限らず、表面の余白スペースであっても良いので、広告情報は同じ掲載面に複数掲載することの他、異なった掲載面に適宜分けて掲載するようにするか、レイアウトパターンの選択が求められる。
【００６２】
図５に示す広告掲載レイアウト画面５０には、表面５１−１ａには広告情報無し、裏面５１−１ｂを三段に分割してそれぞれに広告情報を掲載した第一のレイアウト、表面５１−２ａには広告情報無し、裏面５１−２ｂを二段に分割し、その下段を左右に分割してそれぞれに広告情報を掲載した第二のレイアウト、表面５１−３ａには広告情報無し、裏面５１−３ｂを二段に分割し、その上段を左右に分割してそれぞれに広告情報を掲載した第三のレイアウト、表面５１−４ａの右上、及び裏面５１−４ｂを二段に分割してそれぞれに広告情報を掲載した第四のレイアウト、・・・といった種々のレイアウトパターンが表示されている。
【００６３】
そして、ここでは、レイアウトパターンを選択するための○状をした選択エリア５２（５２−１，５２−２，５２−３，５２−４・・・）のうち、第三のレイアウトパターンを選択する選択エリア５２−３に・印によるチェックがされている。以上のように、レイアウトパターンの選択が完了した後、ＯＫボタン５３を選択することにより、広告掲載レイアウトの選択手続を終了する。なお、広告情報が一つの場合、もしくはレイアウトの選択がなされずにＯＫボタン５３が選択された場合は、自動的にレイアウトの選択が行われる。
【００６４】
次に、以上のような構成の広告掲載名刺発行システム１におけるサーバ２での動作の一例を説明する。図６は、その流れを示すフローチャート図である。まず、図６に示すように、サーバ２の電源スイッチを入れることによりスタートさせる（Ｓ１）。次いで、広告掲載媒体への広告の掲載依頼を行う広告提供者端末３のＷｅｂサイト（ホームページ）への接続に伴い、宣伝したい広告情報とこの広告が掲載された広告掲載媒体の発行を許諾する許諾情報からなる広告依頼を受け付ける（Ｓ２）。また、広告が掲載された名刺６の発行要求を行う広告伝達者端末４のＷｅｂページへの接続に伴い、広告伝達者の個人情報と広告提供者から入手した許諾情報からなる名刺作成依頼を受け付ける（Ｓ３）。
【００６５】
そして、以上のようにして広告依頼及び名刺作成依頼が受け付けられると、名刺作成依頼を行った者の身分照会と名刺掲載事項の確認を兼ねて、ＩＤ番号の入力が有ったか否か、すなわち個人情報の登録が済んでいるか否かが判定される（Ｓ４）。判定の結果、ＩＤ番号の入力が有った場合（Ｙ）は、次に、広告提供者から入手した許諾情報の入力が有ったか否か、すなわち名刺に掲載される広告情報（広告提供者）の選択が有ったか否かが判定される（Ｓ５）。一方、ＩＤ番号の入力が無かった場合（Ｎ）は、ここで必須個人情報の入力が求められ、再度個人情報の登録が済んでいるか否かが判定される（Ｓ１０）。
【００６６】
次いで、許諾情報の入力が有ったか否かの判定の結果、許諾情報の入力が有った場合（Ｙ）は、次に、入力された許諾情報に基づいて名刺掲載広告情報の選択を行い（Ｓ６）、その後、選択された広告情報が複数ある場合は、選択された広告情報を何処に配置するかそのレイアウトの選択が求められる（Ｓ７）。
【００６７】
そして、レイアウトの選択が有った場合（Ｙ）は、これら広告情報、広告伝達者の個人情報、及びレイアウト情報を名刺発行装置へ送って、名刺印刷の指示を行い（Ｓ９）、一連の動作は終了（エンド）する（Ｓ１１）。
一方、許諾情報の入力が無かった場合（Ｎ）は、広告伝達者の個人情報による属性に基いて名刺掲載広告の自動選択が行われる（Ｓ８）と共に、レイアウトの選択が無かった場合（Ｎ）も、やはりレイアウトの自動選択が行われる（Ｓ８）。そして、この情報が名刺発行装置へ送られ、名刺印刷の指示が行われる（Ｓ９）。
【００６８】
また、個人情報の入力が求められ、再度個人情報の登録が済んでいるか否かが判定された結果（Ｓ１０）、個人情報の入力が有った場合（Ｙ）は、ここでＩＤ番号が付与され、引き続き広告提供者から入手した許諾情報の入力が有ったか否か、すなわち名刺に掲載される広告情報（広告提供者）の選択が有ったか否かが判定される（Ｓ５）。しかしながら、ここでも個人情報の入力が無いと判定された場合は、名刺作成の条件を満たしていないとして、名刺印刷の指示は為されずに終了（エンド）する（Ｓ１１）。
【００６９】
このようにして、広告情報提供者が要望する特定の者や、名刺発行希望者が要望する広告情報を選択した広告掲載媒体としての名刺６の発行を行うことが出来る。そして、上述した条件の下で名刺発行装置に対して名刺印刷の指示が行われた結果、図７に示すような名刺６が作成される。
【００７０】
この名刺６の表面６ａには、個人情報登録画面にて入力し、さらに名刺掲載情報として選択した、所属団体名、役職名、氏名、郵便番号、住所、電話番号、ファクシミリ番号、Ｅ−ｍａｉｌアドレスが掲載されている。一方、名刺６の表面６ｂには、二段に分割した上段を更に左右に分割した左側に「ＣａｆｅＪ５０％ｏｆｆ」という第一の広告情報６０Ａと、二段に分割した上段を更に左右に分割した右側に「ＣｌｕｂＺＺＺ」という第二の広告情報６０Ｂと、二段に分割した下段に「ＢａｎｋｏｆＡＡＡ」という第三の広告情報６０Ｃが掲載されている。
【００７１】
また、第一の広告情報６０Ａ欄には、広告提供者から入手した広告情報であることを示す「ＣＪ８８８−１２３４５」という第一の許諾情報６１ａが掲載され、第二の広告情報６０Ｂ欄には、同じく「ＣＺ１２３−１０１０１」という第二の許諾情報６１ｂが掲載され、第三の広告情報６０Ｃ欄にも、同じく「ＢＡ２３５−６１２２２」という第三の許諾情報６１ｃが掲載されている。
【００７２】
また、名刺６の表面６ｂには、この名刺６の保有者であった広告伝達者が誰であったか、誰に対してこの名刺６を発行したかを特定する「ＳＢ０１−２３４−５６７８９」という識別情報６２が掲載されている。なお、この識別情報６２は広告伝達者に付与されたＩＤ番号と同一でも良く、新たに異なった情報を付与するようにしても良い。本実施の形態では識別情報６２としてＩＤ番号を採用している。さらに、第三の広告情報６０Ｃ欄には、掲載された広告提供者のＷｅｂサイトへ接続する「ｈｔｔｐ：／／ｗｗｗ．○×△．ｃｏ．ｊｐ」という接続情報６３が掲載されている。
【００７３】
なお、上記実施の形態においては、広告掲載媒体としての名刺の場合について説明したが、これに限らずプリペイドカードや名刺型ＣＤ等であっても良い。また、上記実施の形態においては、広告掲載媒体に掲載する広告情報を選択する許諾情報は、広告伝達者側が入手する場合について説明したが、やはりこれに限らず、広告情報提供者が提供する商品やサービスを受けることで発行されるレシートに記載したり、ダイレクトメール等に記載したりして、自分たちの広告が掲載された広告掲載媒体を作成し、広く宣伝してくれるよう広告情報提供者側から積極的に促がすようにしても良い。
【００７４】
さらに、本発明においては、広告掲載媒体としての名刺の保有者すなわち広告伝達者が誰であったか、誰に対してこの名刺を発行したかを特定するための手段として、上述のような識別情報を掲載するようにする他、バーコードやペリコード、マトリックス型コードなど識別可能な各種コードを付与するようにしても良い。
【００７５】
【発明の効果】
以上本発明によれば、広告掲載名刺の作成条件及び掲載広告情報の選択条件として、広告情報提供者が提供する許諾情報を採用することとしたので、広告掲載媒体発行のための広告情報提供者が指定する属性と広告伝達者の属性が一致した者に対して広告掲載名刺の作成を行う場合に比して、広告情報提供者の要望を達成する、より効果的な広告情報の宣伝を行い得るようにした名刺発行希望者の選定や、広告伝達者の要望を達成する、自ら望む広告情報を掲載し得るようにした広告情報の選択を可能とし、広告情報提供者及び名刺発行希望者の双方が満足する広告掲載媒体の発行を行うことが出来る。
【図面の簡単な説明】
【図１】本発明の実施の形態に係る広告掲載媒体発行方法を実施するためのシステムの一例を概略的に示す構成図である。
【図２】本発明の実施の形態に係る広告掲載媒体発行システムの構成を簡略的に示すブロック図である。
【図３】本発明の実施の形態に係る広告掲載媒体発行システムでの個人情報登録画面の一例である。
【図４】本発明の実施の形態に係る広告掲載媒体発行システムでの名刺作成依頼画面の一例である。
【図５】本発明の実施の形態に係る広告掲載媒体発行システムでの広告掲載レイアウト画面の一例である。
【図６】本発明の実施の形態に係る装置側での広告掲載媒体発行の流れを示すフローチャート図である。
【図７】本発明の実施の形態に係る広告掲載媒体発行システムにおいて発行された広告掲載媒体である名刺の（Ａ）表面、（Ｂ）裏面を示す一例である。
【符号の説明】
１・・・広告掲載名刺発行システム、２・・・サーバ、３・・・情報提供者端末、
４・・・情報伝達者端末、５・・・広告掲載媒体発行装置、
６・・・広告掲載媒体（名刺）、６ａ・・・表面、６ｂ・・・裏面、
７・・・情報管理装置（Ｗｅｂサーバ）、
８・・・データ管理装置（データベースサーバ）、
９・・・情報選定装置（ＡＰサーバ）、１０・・・ネットワーク、
１１・・・広告掲載依頼受付部、１２・・・個人情報登録受付部、
１３・・・名刺発行依頼受付部、１４・・・広告情報選定部、
１５・・・名刺発行指示通知部、１６・・・広告情報（広告提供者）データ、
１７・・・広告伝達者データ、１８・・・検索エンジン、１９・・・接続通信部、
２０・・・個人情報登録画面、２１・・・住所入力ボックス、
２２・・・郵便番号入力ボックス、２３・・・氏名入力ボックス、
２４・・・性別選択ボックス、２５・・・年齢選択ボックス、
２６・・・職業選択ボックス、２７・・・所属団体名入力ボックス、
２８・・・所属部署入力ボックス、２９・・・役職名入力ボックス、
３０・・・電話番号入力ボックス、３１・・・ファクシミリ番号入力ボックス、
３２・・・携帯電話番号入力ボックス、
３３・・・Ｅ−ｍａｉｌアドレス入力ボックス、
３４，４３，５３・・・ＯＫボタン、４０・・・名刺作成依頼画面、
４１・・・ＩＤ番号入力ボックス、
４２−１，４２−２，４２−３・・・許諾情報入力ボックス、
４４・・・登録ボタン、５０・・・広告掲載レイアウト画面、
５１−１ａ，５１−２ａ，５１−３ａ，５１−４ａ・・・表面、
５１−１ｂ，５１−２ｂ，５１−３ｂ，５１−４ｂ・・・裏面、
５２（５２−１，５２−２，５２−３，５２−４）・・・選択エリア、
６０Ａ，６０Ｂ，６０Ｃ・・・広告情報、
６１ａ，６１ｂ，６１ｃ・・・許諾情報、
６２・・・識別情報、６３・・・接続情報。
【図１】
2004252385.tif 000003
【図２】
2004252385.tif 000004
【図３】
2004252385.tif 000005
【図４】
2004252385.tif 000006
【図５】
2004252385.tif 000007
【図６】
2004252385.tif 000008
【図７】
2004252385.tif 000009